(57)【要約】【課題】取り付け作業を煩雑化することなくノイズフィルタ要素を保持する。【解決手段】装置筐体１０内部の収容空間を仕切り壁１２Ｃによって区画し、それぞれの収容空間に回路基板２１，２２，２３を配設するとともに、円筒状を成すフェライトコア３０の中心孔３０ａを通過するケーブルＣによってそれぞれの収容空間に配設した回路基板２１，２２，２３を互いに電気的に接続した電力変換装置であって、フェライトコア３０の中心孔３０ａが外部に連通した状態でフェライトコア３０を収容する収容ケース４０を備え、収容ケース４０と仕切り壁１２Ｃとの間には仕切り壁１２Ｃに対して収容ケース４０を係合操作した場合に互いに係合状態となる係合手段４３，５０を設けた。【選択図】図８
2017011201.tif 000002
【特許請求の範囲】
【請求項１】
装置筐体内部の収容空間を仕切り壁によって区画し、それぞれの収容空間に回路基板を配設するとともに、円筒状を成すノイズフィルタ要素の中心孔を通過するケーブルによってそれぞれの収容空間に配設した回路基板を互いに電気的に接続した電力変換装置であって、
前記ノイズフィルタ要素の中心孔が外部に連通した状態で前記ノイズフィルタ要素を収容する収容ケースを備え、前記収容ケースと前記仕切り壁との間には前記仕切り壁に対して前記収容ケースを係合操作した場合に互いに係合状態となる係合手段を設けたことを特徴とする電力変換装置。
【請求項２】
前記収容ケースは、前記ノイズフィルタ要素の周面を覆う周壁部及び前記ノイズフィルタ要素の一方の端面を覆う端壁部を有し、前記ノイズフィルタ要素の他方の端面が前記仕切り壁に対向する状態で前記周壁部の端面を介して前記仕切り壁の表面に当接するものであり、
前記係合手段は、前記収容ケースの周壁部から外周側に突出した複数の係合片部と、前記仕切り壁において前記収容ケースの周囲となる部位に形成した複数の係合受部とを備え、
前記係合片部は、前記収容ケースを前記仕切り壁に当接させた場合に前記仕切り壁の表面に沿って配置される平板状を成すものであり、
前記係合受部は、前記収容ケースを前記仕切り壁に当接させた状態で前記周壁部の中心軸を中心として前記収容ケースを回転させるように係合操作した場合に前記係合片部の表面を覆うカバー壁部を有したものであり、前記カバー壁部によって前記収容ケースが前記仕切り壁から離隔する方向の移動を阻止することを特徴とする請求項１に記載の電力変換装置。
【請求項３】
前記係合片部には、表面の一部に突部を形成し、
前記係合受部のカバー壁部には、前記収容ケースが回転した場合の前記突部の移動軌跡上となる部位に前記突部よりも幅の狭いスリットを形成し、かつ前記スリットの終端部には、前記突部を収容可能な大きさの収容切欠部を設けたことを特徴とする請求項２に記載の電力変換装置。
【請求項４】
前記係合片部は、前記周壁部の軸心を中心として径方向に延在する本体基部と、前記本体基部の延在端部から前記周壁部に沿って円弧状に延在する挿入部とを有し、
前記係合受部は、前記カバー壁部が前記挿入部の表面を覆った場合に前記挿入部の両側面に対向する側壁部を有したものであり、
前記カバー壁部が前記挿入部を覆った場合に前記挿入部の側面と前記係合受部の側壁部とを互いに押圧させたことを特徴とする請求項２に記載の電力変換装置。
【請求項５】
前記収容ケースには、前記ノイズフィルタ要素を収容した場合に係合し、他端の開口からの前記ノイズフィルタ要素の脱落を防止する係合爪部を設けたことを特徴とする請求項１に記載の電力変換装置。
【請求項６】
前記収容ケースには、前記周壁部と前記係合片部との間を連結する補強リブを設けたことを特徴とする請求項２に記載の電力変換装置。
【発明の詳細な説明】
【技術分野】
【０００１】
本発明は、装置筐体の内部に仕切り壁によって区画された２つの収容空間を有し、それぞれの収容空間に配設された回路基板をケーブルによって互いに電気的に接続した電力変換装置に関するものである。
【背景技術】
【０００２】
電気変換装置では、装置筐体内部の収容空間を仕切り壁によって区画し、それぞれの収容空間に配設した回路基板をケーブルによって接続したものがある。整流回路、平滑回路及びインバータ回路を搭載したメイン基板と、電源電圧を生成する電源基板と、インバータ回路を制御する制御基板とが別々に設けられた電力変換装置では、例えば、メイン基板及び電源基板を収容する収容空間と、制御基板を収容する収容空間とが仕切り壁によって区画されており、電源基板と制御基板との間がケーブルによって接続するようにしている。この種の電力変換装置によれば、仕切り壁によって電源基板と制御基板との空間絶縁距離を稼ぐことができるため、装置筐体の小型化を図ることができるようになる。
【０００３】
この種の電力変換装置では、動作時に発生する電磁ノイズが制御回路の誤動作を招来する要因となる。このため、電力変換装置の多くは、装置筐体内部の収容空間にフェライトコアや電磁コイル等のノイズフィルタ要素を配設し、これらノイズフィルタ要素の中心孔を通過するようにケーブルを配設することで電磁ノイズによる影響を防止するようにしている（例えば、特許文献１参照）。
【先行技術文献】
【特許文献】
【０００４】
【特許文献１】特開平５−１３６５９２号公報
【発明の概要】
【発明が解決しようとする課題】
【０００５】
特許文献１には、上述したノイズフィルタ要素を装置筐体に保持させる方法として、接着剤によって接着するようにしたものが記載されている。その他の方法としては、いわゆる結束バンドを用いて装置筐体に保持させる方法も多く適用されている。しかしながら、接着剤を用いた方法では、接着剤を塗布した後に硬化するまでの間はノイズフィルタ要素を手で把持しておかなければならない。また、結束バンドを用いた方法は、ノイズフィルタ要素と装置筐体との間に結束バンドを通過させるように巻回して締め付け、余剰部分を切断工具によって切断する必要がある。従って、作業性を考慮すると、これらの方法は必ずしも好ましいとはいえない。
【０００６】
本発明は、上記実情に鑑みて、取り付け作業を煩雑化することなくノイズフィルタ要素を保持することのできる電力変換装置を提供することを目的とする。
【課題を解決するための手段】
【０００７】
上記目的を達成するため、本発明に係る電力変換装置は、装置筐体内部の収容空間を仕切り壁によって区画し、それぞれの収容空間に回路基板を配設するとともに、円筒状を成すノイズフィルタ要素の中心孔を通過するケーブルによってそれぞれの収容空間に配設した回路基板を互いに電気的に接続した電力変換装置であって、前記ノイズフィルタ要素の中心孔が外部に連通した状態で前記ノイズフィルタ要素を収容する収容ケースを備え、前記収容ケースと前記仕切り壁との間には前記仕切り壁に対して前記収容ケースを係合操作した場合に互いに係合状態となる係合手段を設けたことを特徴とする。
【０００８】
また、本発明は、上述した電力変換装置において、前記収容ケースは、前記ノイズフィルタ要素の周面を覆う周壁部及び前記ノイズフィルタ要素の一方の端面を覆う端壁部を有し、前記ノイズフィルタ要素の他方の端面が前記仕切り壁に対向する状態で前記周壁部の端面を介して前記仕切り壁の表面に当接するものであり、前記係合手段は、前記収容ケースの周壁部から外周側に突出した複数の係合片部と、前記仕切り壁において前記収容ケースの周囲となる部位に形成した複数の係合受部とを備え、前記係合片部は、前記収容ケースを前記仕切り壁に当接させた場合に前記仕切り壁の表面に沿って配置される平板状を成すものであり、前記係合受部は、前記収容ケースを前記仕切り壁に当接させた状態で前記周壁部の中心軸を中心として前記収容ケースを回転させるように係合操作した場合に前記係合片部の表面を覆うカバー壁部を有したものであり、前記カバー壁部によって前記収容ケースが前記仕切り壁から離隔する方向の移動を阻止することを特徴とする。
【０００９】
また、本発明は、上述した電力変換装置において、前記係合片部には、表面の一部に突部を形成し、前記係合受部のカバー壁部には、前記収容ケースが回転した場合の前記突部の移動軌跡上となる部位に前記突部よりも幅の狭いスリットを形成し、かつ前記スリットの終端部には、前記突部を収容可能な大きさの収容切欠部を設けたことを特徴とする。
【００１０】
また、本発明は、上述した電力変換装置において、前記係合片部は、前記周壁部の軸心を中心として径方向に延在する本体基部と、前記本体基部の延在端部から前記周壁部に沿って円弧状に延在する挿入部とを有し、前記係合受部は、前記カバー壁部が前記挿入部の表面を覆った場合に前記挿入部の両側面に対向する側壁部を有したものであり、前記カバー壁部が前記挿入部を覆った場合に前記挿入部の側面と前記係合受部の側壁部とを互いに押圧させたことを特徴とする。
【００１１】
また、本発明は、上述した電力変換装置において、前記収容ケースには、前記ノイズフィルタ要素を収容した場合に係合し、他端の開口からの前記ノイズフィルタ要素の脱落を防止する係合爪部を設けたことを特徴とする。
【００１２】
また、本発明は、上述した電力変換装置において、前記収容ケースには、前記周壁部と前記係合片部との間を連結する補強リブを設けたことを特徴とする。
【発明の効果】
【００１３】
本発明によれば、ノイズフィルタ要素を収容した収容ケースを仕切り壁に当接させ、この状態で仕切り壁を係合操作すれば、係合手段によって収容ケースと装置筐体の仕切り壁とが係合状態となるため、取り付け作業を煩雑化することなくノイズフィルタ要素を保持することが可能となる。
【図面の簡単な説明】
【００１４】
【図１】図１は、本発明の実施の形態である電力変換装置の断面側面図である。
【図２】図２は、図１に示した電力変換装置の要部を前方側から分解して示す分解斜視図である。
【図３】図３は、図１に示した電力変換装置の要部を後方側から分解して示す分解斜視図である。
【図４】図４は、図１に示した電力変換装置に適用する収容ケースを示したもので、（ａ）は閉塞端面側から見た斜視図、（ｂ）は閉塞端面側から見た図である。
【図５】図５は、図１に示した電力変換装置に適用する収容ケース及びノイズフィルタ要素を示したもので、（ａ）は）開放端面側から見た分解斜視図、（ｂ）は収容ケースにノイズフィルタ要素を収容させた状態を開放端面側から見た斜視図である。
【図６】図６は、図１に示した電力変換装置においてノイズフィルタ要素を仕切り壁に保持させる手順を示したもので、（ａ）はノイズフィルタ要素を収容ケースに収容させる以前の断面図、（ｂ）はノイズフィルタ要素を収容ケースに収容させた状態の断面図、（ｃ）はノイズフィルタ要素を収容した収容ケースを仕切り壁に保持させた状態の断面図である。
【図７】図７は、図１に示した電力変換装置においてノイズフィルタ要素を仕切り壁に保持させる手順を示したもので、（ａ）は仕切り壁に設けた係合受部を示す図、（ｂ）は仕切り壁に収容ケースを当接させた状態の図、（ｃ）は収容ケースを係合操作して係合手段を係合させた状態の図である。
【図８】図８は、図１に示した電力変換装置においてノイズフィルタ要素を仕切り壁に取り付けた状態を示すもので、（ａ）は係合手段を係合させる以前の斜視図、（ｂ）は係合手段を係合させた状態の斜視図である。
【図９】図９は、図１に示した電力変換装置に適用する係合手段の要部を示すもので、（ａ）は係合手段を係合させる以前の破断図、（ｂ）は係合手段を係合させ、かつ係合片部の挿入部と係合受部の側壁部とを互いに押圧させた状態の破断図である。
【発明を実施するための形態】
【００１５】
以下、添付図面を参照しながら本発明に係る電力変換装置の好適な実施の形態について詳細に説明する。
【００１６】
図１は、本発明の実施の形態である電力変換装置を示したものである。ここで例示する電力変換装置は、誘導モータや同期モータ等の負荷に交流電力を出力するもので、装置筐体１０の内部にドライブ基板２１、コンデンサ基板２２及び制御基板２３を備えている。装置筐体１０は、それぞれ樹脂、板金あるいはアルミダイカスト等によって成形したフレーム体１１、側面カバー１２、底面カバー１３及び正面カバー１４を備えて構成したものである。
【００１７】
フレーム体１１は、図には明示していないが、中空の箱状を成すもので、内部にヒートシンクや冷却ファン等の冷却ユニットを備えている。ヒートシンクは後述のドライブ基板２１に実装したＩＧＢＴ（Ｉｎｓｕｌａｔｅｄ  Ｇａｔｅ  Ｂｉｐｏｌａｒ  Ｔｒａｎｓｉｓｔｏｒ）モジュール２１Ａを冷却するものであり、冷却ファンはヒートシンクに対して通風を行うものである。
【００１８】
側面カバー１２は、図２及び図３に示すように、フレーム体１１の前方域において上面及び両側面を取り囲むように設けたものである。側面カバー１２の上壁部１２Ａ及び左右の側壁部１２Ｂには、それぞれ多数の通気孔１２ａが設けてある。この側面カバー１２には、上壁部１２Ａ及び左右の側壁部１２Ｂによって囲まれる収容空間に仕切り壁１２Ｃが設けてある。仕切り壁１２Ｃは、フレーム体１１の前面に対して平行となるように設けてあり、側面カバー１２の上壁部１２Ａ及び左右の側壁部１２Ｂによって囲まれる収容空間を前後に区画するものである。
【００１９】
底面カバー１３は、側面カバー１２の下面を覆うように設けたものである。この底面カバー１３にも、通気孔（図示せず）が設けてある。正面カバー１４は、側面カバー１２の前面全域を覆う大きさを有したもので、側面カバー１２に対して着脱可能となるように配設してある。この正面カバー１４は、フレーム体１１を介して配電盤等の鉛直面Ｂに取り付けた場合に電力変換装置の前面となるものである。図には明示していないが、この正面カバー１４には、操作部や表示部等のインターフェースが設けてある。
【００２０】
ドライブ基板２１は、インバータ回路を構成するもので、フレーム体１１の前面に設けたボス部１１ａを介してフレーム体１１に取り付けてある。このドライブ基板２１には、フレーム体１１の前面に対向する実装面にＩＧＢＴモジュール２１Ａが実装してある。ＩＧＢＴモジュール２１Ａにおいてフレーム体１１の前面に対向する面は、フレーム体１１の前面に接触させてある。また、このドライブ基板２１には、各種電源電圧を生成する電源回路も構成してある。コンデンサ基板２２は、整流回路及び平滑回路を構成するもので、ドライブ基板２１よりも前方となる位置においてフレーム体１１に取り付けてある。このコンデンサ基板２２には、前方の実装面にコンデンサ２２Ａやトランス２２Ｂ等の電子部品が実装してある。制御基板２３は、電源回路から与えられた電源電圧によって駆動し、ドライブ基板２１に構成したインバータ回路を制御するもので、仕切り壁１２Ｃの前面に取り付けてある。これらドライブ基板２１及び制御基板２３の間は、ケーブルＣによって電気的に接続してある。
【００２１】
この電力変換装置には、仕切り壁１２Ｃにフェライトコア（ノイズフィルタ要素）３０が取り付けてある。フェライトコア３０は、中心孔３０ａを有した円筒状を成すもので、収容ケース４０を介して仕切り壁１２Ｃに保持させてある。収容ケース４０は、図４〜図７に示すように、フェライトコア３０の周囲を覆う周壁部４１と、フェライトコア３０の一端面を覆う端壁部４２を有したもので、例えば樹脂によって一体に成形してある。周壁部４１としては、フェライトコア３０の周面の過半部分を覆うだけの円弧長（約２２５°の中心角）を有したものを適用している。端壁部４２は、平板状を成すもので、中心部に挿通孔４２ａを有している。この収容ケース４０には、周壁部４１の外周面に３つの係合片部４３が設けてあるとともに、端壁部４２に２つの弾性係合爪部（係合爪部）４４が設けてある。
【００２２】
係合片部４３は、本体基部４３ａ、挿入部４３ｂ及び補強リブ４３ｃを有したものである。本体基部４３ａは周壁部４１の軸心を中心として径方向に延在するものであり、挿入部４３ｂは本体基部４３ａの延在端部から周壁部４１に沿って円弧状に延在するものである。本体基部４３ａ及び挿入部４３ｂは、それぞれ端壁部４２と平行となるように延在した平板状を成すものである。係合片部４３を設ける位置は、周壁部４１において端壁部４２の無い端面（以下、開放端面４１ａという）から係合片部４３の板厚に相当する距離程度離隔した位置である。本実施の形態では、図４の（ｂ）に示すように、周壁部４１において端壁部４２を有した端面（以下、閉塞端面４１ｂという）から見た場合に本体基部４３ａの延在端部から時計方向に向けて挿入部４３ｂが延在するようにそれぞれの係合片部４３が設けてある。補強リブ４３ｃは、周壁部４１及び本体基部４３ａの間に介在した薄板状部材である。本実施の形態では、周壁部４１から外方に向けて湾曲するように延在した補強リブ４３ｃを適用している。
【００２３】
３つの係合片部４３のうちの両側に位置する係合片部４３には、挿入部４３ｂの先端にそれぞれ突部４５が形成してある。突部４５は、先端が球状を成す突出部であり、周壁部４１を閉塞端面４１ｂから見た場合に露出する表面において挿入部４３ｂの幅を２等分する位置に設けてある。
【００２４】
弾性係合爪部４４は、端壁部４２の内表面において挿通孔４２ａの周囲となる部位からそれぞれ周壁部４１の軸方向に沿って突出した爪基部４４ａと、爪基部４４ａの突出端部において互いに離反した側面から周壁部４１に向けて突出したフック部４４ｂとを有したものである。２つの弾性係合爪部４４は、フック部４４ｂを設けた側面の相互間距離がフェライトコア３０の中心孔３０ａの内径よりもわずかに小さい寸法となるように設定してある。フック部４４ｂは、収容ケース４０の端壁部４２との間の距離がフェライトコア３０の軸方向に沿った高さよりもわずかに大きい寸法となるように設定してある。
【００２５】
上記のように構成した収容ケース４０では、２つの弾性係合爪部４４を適宜弾性変形させれば、フェライトコア３０の中心孔３０ａに挿通させることができる。フェライトコア３０の端面を端壁部４２の内表面に突出させた場合には、図５の（ｂ）及び図６の（ｂ）に示すように、フック部４４ｂがフェライトコア３０の中心孔３０ａを通過することで２つの弾性係合爪部４４が元の状態に復帰し、それぞれのフック部４４ｂがフェライトコア３０の端面に対向した状態となる。従って、収容ケース４０の開放端面４１ａを下方に向けた場合にもフェライトコア３０の端面にフック部４４ｂが係合することになり、収容ケース４０からフェライトコア３０が不用意に脱落することはない。この状態においては、開放端面４１ａを介してフェライトコア３０の一方の端面に開口する中心孔３０ａが外部に露出した状態にあり、かつ端壁部４２の挿通孔４２ａを介してフェライトコア３０の他方の端面に開口する中心孔３０ａが外部に露出した状態となる。尚、弾性係合爪部４４を互いに近接する方向に弾性変形させれば、収容ケース４０からフェライトコア３０を取り出すことは可能である。
【００２６】
一方、収容ケース４０を保持する仕切り壁１２Ｃには、挿通切欠部１２Ｄが設けてある。挿通切欠部１２Ｄは、仕切り壁１２Ｃを貫通する開口である。本実施の形態では、円形状の開口を有した円孔部１２Ｄａと、長方形状の開口を有し、円孔部１２Ｄａに連通するように設けた方孔部１２Ｄｂとを有した挿通切欠部１２Ｄが仕切り壁１２Ｃの上方側に位置する隅部に形成してある。円孔部１２Ｄａの内径は、収容ケース４０における周壁部４１の内径よりも一回り小さく構成してある。図３、図６の（ｂ）及び図７の（ａ）に示すように、仕切り壁１２Ｃにおいてフレーム体１１の前面に対向する後面には、挿通切欠部１２Ｄにおける円孔部１２Ｄａの開口縁にコア支持壁１２Ｅが設けてあるとともに、コア支持壁１２Ｅの外周囲となる位置に３つの係合受部５０が設けてある。
【００２７】
コア支持壁１２Ｅは、円孔部１２Ｄａの開口縁からフレーム体１１の前面に向けて突出した円筒状部分である。コア支持壁１２Ｅの外径は、収容ケース４０の内部に摺動可能に嵌合することのできる寸法に設定してある。
【００２８】
係合受部５０は、収容ケース４０の係合片部４３とともに係合手段を構成するものである。すなわち、係合受部５０は、収容ケース４０における周壁部４１の開口端面を仕切り壁１２Ｃの後面に当接させた状態で周壁部４１の中心軸を中心として収容ケース４０を回転させるように係合操作した場合に係合片部４３に係合し、収容ケース４０が仕切り壁１２Ｃから離隔する方向の移動を阻止するものである。本実施の形態では、それぞれ基準壁部５１、外周側壁部５２、内周側壁部５３及びカバー壁部５４を有して係合受部５０が構成してある。
【００２９】
基準壁部５１は、円孔部１２Ｄａを中心として径方向に延在する部分である。外周側壁部５２及び内周側壁部５３は、円孔部１２Ｄａのコア支持壁１２Ｅと同一中心の円弧状に設けたもので、仕切り壁１２Ｃを後面から見た場合に、個々の基準壁部５１から反時計方向に向けて延在している。外周側壁部５２と内周側壁部５３との間には、係合片部４３の挿入部４３ｂを挿入することのできる間隔が確保してある。図７の（ａ）及び図８の（ａ）からも明らかなように、係合受部５０の外周側壁部５２は、内周側壁部５３よりも円弧長さが大きく設定してある。具体的には、仕切り壁１２Ｃを後面から見た場合に、内周側壁部５３に対して外周側壁部５２が反時計方向に向けて延長するように形成してある。外周側壁部５２の円弧長さは、収容ケース４０に設けた係合片部４３の挿入部４３ｂとほぼ同等である。これら基準壁部５１、外周側壁部５２及び内周側壁部５３の仕切り壁１２Ｃからの突出高さは、互いに同一であり、図６の（ｃ）に示すように、収容ケース４０の開口端面を仕切り壁１２Ｃの後面に当接させた場合に、係合片部４３の表面とほぼ同等の位置となるように設定してある。尚、図８においては便宜上、係合片部４３の補強リブ２３は省略している。
【００３０】
カバー壁部５４は、基準壁部５１、外周側壁部５２及び内周側壁部５３の突出端面を覆うように設けた平板状部分である。図７の（ａ）に示すように、個々のカバー壁部５４は、基準壁部５１から内周側壁部５３の延在端部までを覆う寸法に形成してあり、仕切り壁１２Ｃを後面から見た場合に基準壁部５１から反時計方向に延在した端部（以下、開放端部という）が開口した係合受部５０を構成している。
【００３１】
３つの係合受部５０のうちの両側に位置する係合受部５０には、カバー壁部５４にスリット５５及び収容切欠部５６が設けてあり、中央の係合受部５０には、外周側壁部５２及び内周側壁部５３に押圧面５７が設けてある。スリット５５は、収容ケース４０の係合片部４３に設けた突部４５よりも幅の狭い溝状の切欠である。個々のスリット５５は、カバー壁部５４の開放端部に位置する部分から外周側壁部５２と同一中心の円弧に沿って形成してあり、基準壁部５１に達する以前に終端している。収容切欠部５６は、スリット５５の終端部に形成した円形の切欠である。収容切欠部５６の内径は、係合片部４３に設けた突部４５を収容することのできる寸法に形成してある。個々の収容切欠部５６は、収容ケース４０の係合片部４３において突部４５を設けた挿入部４３ｂを開放端部から外周側壁部５２と内周側壁部５３との間に挿入した場合に挿入部４３ｂの先端が基準壁部５１に到達する以前に突部４５が配置されるように形成してある。押圧面５７は、図７の（ａ）及び図９の（ａ）に示すように、中央の係合受部５０において外周側壁部５２及び内周側壁部５３の互いに対向する内表面を基準壁部５１に近接するに従って互いに近接するように構成したものである。
【００３２】
上記のように構成した係合手段４３，５０によってフェライトコア３０を仕切り壁１２Ｃに保持させるには、図６の（ｂ）に示すように、収容ケース４０にフェライトコア３０を収容した状態で収容ケース４０の開放端面４１ａを仕切り壁１２Ｃの後面に対向させる。
【００３３】
次いで、図７の（ｂ）及び図８の（ａ）に示すように、仕切り壁１２Ｃに設けた個々の係合受部５０に対して反時計回りとなる位置に収容ケース４０の係合片部４３をそれぞれ配置し、周壁部４１の端面を仕切り壁１２Ｃの後面に当接させれば、仕切り壁１２Ｃのコア支持壁１２Ｅが周壁部４１の内部に嵌合されるとともに、個々の挿入部４３ｂの先端部外周面が外周側壁部５２に当接されることになり、仕切り壁１２Ｃに対する収容ケース４０の位置決めを行うことができる。
【００３４】
この状態から周壁部４１の中心軸を中心として収容ケース４０を時計回りに回転させるように係合操作すると、図７の（ｃ）及び図８の（ｂ）に示すように、収容ケース４０に設けた係合片部４３の挿入部４３ｂがそれぞれ仕切り壁１２Ｃに設けた係合受部５０に挿入されることになる。ここで、挿入部４３ｂに設けた突部４５が係合受部５０の収容切欠部５６に至る以前においては、幅の狭いスリット５５に対して突部４５を収容することができず、係合受部５０のカバー壁部５４に突部４５が圧接されるため、挿入部４３ｂの先端部が仕切り壁１２Ｃに近接するように弾性変形された状態となる。
【００３５】
この状態から収容ケース４０の回転が進行し、突部４５が収容切欠部５６に到達すると、突部４５が収容切欠部５６に収容された状態となるため、挿入部４３ｂが元の形状に復帰してカバー壁部５４に当接した状態になるとともに、係合受部５０からの挿入部４３ｂの逸脱方向への移動が規制される。すなわち、収容ケース４０の係合片部４３がそれぞれ仕切り壁１２Ｃの係合受部５０に係合し、挿入部４３ｂがカバー壁部５４によって覆われた状態を維持する。これらの結果、収容ケース４０が仕切り壁１２Ｃから離隔する方向の移動が阻止され、収容ケース４０に収容したフェライトコア３０が仕切り壁１２Ｃに取り付けられた状態となる。
【００３６】
さらに、図９の（ｂ）に示すように、中央の係合片部４３と係合受部５０との間においては、挿入部４３ｂの先端部が外周側壁部５２の押圧面５７及び内周側壁部５３の押圧面５７に押圧された状態となる。このため収容ケース４０は、図７の（ｃ）において反時計回りに回転するように、押圧面５７から反力を受けることになり、突部４５が収容切欠部５６の端縁に圧接された状態となる。これにより、動作時に装置筐体１０が振動した場合にも、仕切り壁１２Ｃに対して収容ケース４０がガタ付くおそれがなくなる。
【００３７】
この電力変換装置によれば、フェライトコア３０の中心孔３０ａを通過するようにケーブルＣを配線し、このケーブルＣによってドライブ基板２１、コンデンサ基板２２及びドライブ基板２１との間を電気的に接続すれば、動作時に発生する電磁ノイズの影響が低減され、制御回路が誤動作する等の問題を防止することができるようになる。
【００３８】
このように上述の電力変換装置では、フェライトコア３０を収容した収容ケース４０の開放端面４１ａを仕切り壁１２Ｃに当接させ、この状態で仕切り壁１２Ｃを周壁部４１の軸心回りに回転させれば、係合手段４３，５０によって収容ケース４０と装置筐体１０の仕切り壁１２Ｃとが係合状態となるため、取り付け作業を煩雑化することなくフェライトコア３０を仕切り壁１２Ｃに保持することが可能となる。
【００３９】
収容ケース４０の周壁部４１が突出する係合片部４３には、補強リブ４３ｃが設けてある。従って、係合操作する際においても、係合片部４３の本体基部４３ａが変形したり、損傷を受けるおそれがなく、フェライトコア３０を確実に仕切り壁１２Ｃに保持させることができる。
【００４０】
また、収容ケース４０を側面カバー１２とは別体に成形しているため、側面カバー１２の大きさに関わりなく収容ケース４０の寸法精度を確保することが可能となる。
【００４１】
尚、上述した実施の形態では、係合片部４３及び係合受部５０をそれぞれ３つずつ設けるようにしているが、係合片部４３及び係合受部５０の数は必ずしも３つである必要はなく、複数であればいくつであっても良い。
【００４２】
また、上述した実施の形態では、ノイズフィルタ要素としてフェライトコア３０を例示しているが、電磁コイル等、その他のものであっても良い。
【符号の説明】
【００４３】
１０      装置筐体
１２Ｃ      仕切り壁
１２Ｅ      コア支持壁
２１      ドライブ基板
２２      コンデンサ基板
２３      制御基板
３０      フェライトコア
３０ａ      中心孔
４０      収容ケース
４１      周壁部
４１ａ      開放端面
４２      端壁部
４２ａ      挿通孔
４３      係合片部
４３ａ      本体基部
４３ｂ      挿入部
４３ｃ      補強リブ
４４      弾性係合爪部
４４ａ      爪基部
４４ｂ      フック部
４５      突部
５０      係合受部
５２      外周側壁部
５３      内周側壁部
５４      カバー壁部
５５      スリット
５６      収容切欠部
５７      押圧面
Ｃ      ケーブル
【図１】
2017011201.tif 000003
【図２】
2017011201.tif 000004
【図３】
2017011201.tif 000005
【図４】
2017011201.tif 000006
【図５】
2017011201.tif 000007
【図６】
2017011201.tif 000008
【図７】
2017011201.tif 000009
【図８】
2017011201.tif 000010
【図９】
2017011201.tif 000011